(57)【特許請求の範囲】
【請求項１】
コミュニケーションについてのアドバイスを提供するコンピュータシステムであって、
組織内のメンバーの特性を受信する受信手段と、
前記メンバーが複数の状況のうちのある状況下にあることを決定する決定手段と、
前記決定手段によって決定された前記メンバーの状況と同じ状況下にある第１の人物に対して過去になされたコミュニケーションの前記第１の人物による評価を取得する取得手段と、
前記状況と、前記メンバーの前記特性と、前記評価とに基づいて、前記状況下の前記メンバーに対するコミュニケーションについてのアドバイスを出力する出力手段と
を備えるコンピュータシステム。
【請求項２】
前記第１の人物は、前記メンバーと同一または類似する特性を有する、請求項１に記載のコンピュータシステム。
【請求項３】
前記出力手段は、前記状況および前記メンバーの前記特性の両方に関連付けられたコミュニケーションを取得し、前記取得されたコミュニケーションのうちの前記評価が良いコミュニケーションが前記メンバーに対して有効なコミュニケーションであるというアドバイス、および、前記取得されたコミュニケーションのうちの前記評価が悪いコミュニケーションが前記メンバーに対して有効でないコミュニケーションであるというアドバイスのうちの少なくとも１つを出力する、請求項１または請求項２に記載のコンピュータシステム。
【請求項４】
前記出力手段は、前記評価が良い順または悪い順に前記コミュニケーションを並べ替えて出力する、請求項３に記載のコンピュータシステム。
【請求項５】
前記組織内の管理者の特性を受信する第２の受信手段をさらに備え、
前記出力手段は、前記状況と、前記メンバーの前記特性と、前記管理者の前記特性と、前記評価とに基づいて、前記状況下の前記メンバーに対するコミュニケーションについてのアドバイスを前記管理者に対して出力する、請求項１〜４のいずれか一項に記載のコンピュータシステム。
【請求項６】
前記第１の人物に対して過去になされたコミュニケーションは、第２の人物によってなされたものであり、前記第２の人物は、前記管理者と同一または類似する特性を有する、請求項５に記載のコンピュータシステム。
【請求項７】
前記決定手段は、
前記メンバーが複数の状況のうちのある状況下にあることの報告を前記組織内の他のメンバーから受信することと、
前記受信された報告に基づいて、前記メンバーが複数の状況のうちのある状況下にあることを決定することと
を行うように構成されている、請求項１〜６のいずれか一項に記載のコンピュータシステム。
【請求項８】
前記決定手段は、前記メンバーの行動に基づいて、前記メンバーが複数の状況のうちのある状況下にあることを決定することを行うように構成されている、請求項１〜６のいずれか一項に記載のコンピュータシステム。
【請求項９】
コミュニケーションについてのアドバイスを提供するためのプログラムであって、前記プログラムは、プロセッサ部を備えるコンピュータシステムにおいて実行され、前記プログラムは、
組織内のメンバーの特性を受信することと、
前記メンバーが複数の状況のうちのある状況下にあることを決定することと、
前記決定された前記メンバーの状況と同じ状況下にある第１の人物に対して過去になされたコミュニケーションの前記第１の人物による評価を取得することと、
前記状況と、前記メンバーの前記特性と、前記評価とに基づいて、前記状況下の前記メンバーに対するコミュニケーションについてのアドバイスを出力することと
を含む処理を前記プロセッサ部に実行させる、プログラム。
【請求項１０】
コミュニケーションについてのアドバイスを提供するための方法であって、前記方法は、プロセッサ部を備えるコンピュータシステムにおいて実行され、前記方法は、
組織内のメンバーの特性を受信することと、
前記メンバーが複数の状況のうちのある状況下にあることを決定することと、
前記決定された前記メンバーの状況と同じ状況下にある第１の人物に対して過去になされたコミュニケーションの前記第１の人物による評価を取得することと、
前記状況と、前記メンバーの前記特性と、前記評価とに基づいて、前記状況下の前記メンバーに対するコミュニケーションについてのアドバイスを出力することと
を含む、方法。
【発明の詳細な説明】
【技術分野】
【０００１】
本発明は、ユーザにアドバイスを提供するコンピュータシステム、プログラム、方法に関し、具体的には、コミュニケーションについてのアドバイスを提供するコンピュータシステム、プログラム、方法に関する。
【背景技術】
【０００２】
組織におけるメンバーの状態を解析し、そのメンバーおよびその組織の状態を良くするための行動のアドバイスを提供するシステムが知られている（特許文献１）。このシステムは、メンバーの状態と組織の状態との違いに基づいて、メンバーが組織の中でどう行動すべきかのアドバイスを提供する。
【先行技術文献】
【特許文献】
【０００３】
【特許文献１】国際公開第２０１１／１２５２７２号
【発明の概要】
【発明が解決しようとする課題】
【０００４】
本発明の発明者は、組織において協働する複数のメンバー間のコミュニケーションについてアドバイスをする際に、組織全体の特性に加えて、またはそれに代えて、コミュニケーションを行う相手との特性の違い、相手の状況、および／または相手の感じ方を踏まえたうえでアドバイスを行うことが効果的であることを見出した。複数のメンバーの特性を平均化するのではなく、コミュニケーションを行う相手との特性の違い、相手の状況、および／または相手の感じ方に着目してコミュニケーションについてのアドバイスをすることで、アドバイスを受けたメンバーは、相手との違いを意識してコミュニケーションを行うことができ、コミュニケーションにおける不具合を改善することができるのである。
【０００５】
本発明は、コミュニケーションにおける不具合を改善することができる、コミュニケーションについてのアドバイスを提供するコンピュータシステム、プログラム、方法を提供することを目的とする。
【０００６】
また、本発明は、経験則や感覚、主観的な認識等の不確定な変動要素に基づくのではなく、客観的な分析に基づいて、コミュニケーションについてのアドバイスを提供するコンピュータシステム、プログラム、方法を提供することも目的とする。
【課題を解決するための手段】
【０００７】
本発明は、コミュニケーションについてのアドバイスを提供するコンピュータシステムを提供し、前記コンピュータシステムは、組織内のメンバーの特性を受信する受信手段と、前記メンバーが複数の状況のうちのある状況下にあることを決定する決定手段と、第１の人物に対して過去になされたコミュニケーションの前記第１の人物による評価を取得する取得手段と、前記状況と、前記メンバーの前記特性と、前記評価とに基づいて、前記状況下の前記メンバーに対するコミュニケーションについてのアドバイスを出力する出力手段とを備える。
【０００８】
本発明の一実施形態において、前記第１の人物は、前記組織内のメンバーと同一または類似する特性を有する。
【０００９】
本発明の一実施形態において、前記第１の人物に対して過去になされたコミュニケーションは、前記状況と同一の状況下の第１の人物に対して過去になされたコミュニケーションである。
【００１０】
本発明の一実施形態において、前記出力手段は、前記状況および前記メンバーの前記特性の両方に関連付けられたコミュニケーションを取得し、前記取得されたコミュニケーションのうちの前記評価が良いコミュニケーションが前記メンバーに対して有効なコミュニケーションであるというアドバイス、および、前記取得されたコミュニケーションのうちの前記評価が悪いコミュニケーションが前記メンバーに対して有効でないコミュニケーションであるというアドバイスのうちの少なくとも１つを出力する。
【００１１】
本発明の一実施形態において、前記出力手段は、前記評価が良い順または悪い順に前記コミュニケーションを並べ替えて出力する。
【００１２】
本発明の一実施形態において、前記組織内の管理者の特性を受信する第２の受信手段をさらに備え、前記出力手段は、前記状況と、前記メンバーの前記特性と、前記管理者の前記特性と、前記評価とに基づいて、前記状況下の前記メンバーに対するコミュニケーションについてのアドバイスを前記管理者に対して出力する。
【００１３】
本発明の一実施形態において、前記第１の人物に対して過去になされたコミュニケーションは、第２の人物によってなされたものであり、前記第２の人物は、前記管理者と同一または類似する特性を有する。
【００１４】
本発明の一実施形態において、前記決定手段は、前記メンバーが複数の状況のうちのある状況下にあることの報告を前記組織内の他のメンバーから受信することと、前記受信された報告に基づいて、前記メンバーが複数の状況のうちのある状況下にあることを決定することとを行うように構成されている。
【００１５】
本発明の一実施形態において、前記決定手段は、前記メンバーの行動に基づいて、前記メンバーが複数の状況のうちのある状況下にあることを決定することを行うように構成されている。
【００１６】
本発明は、コミュニケーションについてのアドバイスを提供するためのプログラムを提供し、前記プログラムは、プロセッサ部を備えるコンピュータシステムにおいて実行され、前記プログラムは、組織内のメンバーの特性を受信することと、前記メンバーが複数の状況のうちのある状況下にあることを決定することと、第１の人物に対して過去になされたコミュニケーションの前記第１の人物による評価を取得することと、前記状況と、前記メンバーの前記特性と、前記評価とに基づいて、前記状況下の前記メンバーに対するコミュニケーションについてのアドバイスを出力することとを含む処理を前記プロセッサ部に実行させる。
【００１７】
本発明は、コミュニケーションについてのアドバイスを提供するための方法を提供し、前記方法は、プロセッサ部を備えるコンピュータシステムにおいて実行され、前記方法は、組織内のメンバーの特性を受信することと、前記メンバーが複数の状況のうちのある状況下にあることを決定することと、第１の人物に対して過去になされたコミュニケーションの前記第１の人物による評価を取得することと、前記状況と、前記メンバーの前記特性と、前記評価とに基づいて、前記状況下の前記メンバーに対するコミュニケーションについてのアドバイスを出力することとを含む。
【発明の効果】
【００１８】
本発明によれば、コミュニケーションにおける不具合を改善することができる、コミュニケーションについてのアドバイスを提供するコンピュータシステム、プログラム、方法を提供することができる。これにより、組織のメンバー間のコミュニケーションが改善され、組織のメンバー間の協働が促進され効率向上につながる。また、組織のマネジメントを効果的にすることを促すことも可能である。
【００１９】
また、本発明によれば、客観的な分析に基づいて、コミュニケーションについてのアドバイスを提供するコンピュータシステム、プログラム、方法を提供することができる。これにより、経験則や感覚、主観的な認識等の不確定な変動要素に基づくアドバイスを排除することができ、組織のメンバーとの適切なコミュニケーションをすることができるようになる。
【図面の簡単な説明】
【００２０】
【図１Ａ】組織におけるメンバーの特性を分析するためのアンケート表１０の一例を示す図。
【図１Ｂ】アンケート表１０の回答結果を本発明のコンピュータシステムによって分析した結果を表示する結果表示画面２０−１の一例を示す図。
【図１Ｃ】アンケート表１０の回答結果を本発明のコンピュータシステムによって分析した結果を表示する結果表示画面２０−２の一例を示す図。
【図２Ａ】組織におけるメンバーが、本発明のコンピュータシステムを用いて、各メンバーの様子をマネージャ（管理者）に報告するための報告画面３０の一例を示す図。
【図２Ｂ】組織におけるメンバーがネガティブな状況にあることを通知するための通知画面４０の一例を示す図。
【図３Ａ】コミュニケーションについてのアドバイスを提供することができる本発明のコンピュータシステム１００の構成の一例を示すブロック図。
【図３Ｂ】データベース部２００に格納されるデータ構成の一例を示す図。
【図３Ｃ】プロセッサ部１２０の構成の一例を示すブロック図。
【図４】コンピュータシステム１００において行われる、コミュニケーションについてのアドバイスを提供するための処理４００の一例を示すフローチャート。
【図５】ユーザの特性を決定するための対応表５００の一例を示す図。
【図６】コンピュータシステム１００において行われる、コミュニケーションについてのアドバイスを提供するための処理の別の一例（処理６００）を示すフローチャート。
【発明を実施するための形態】
【００２１】
以下、図面を参照しながら、本発明の実施の形態を説明する。
【００２２】
１．組織のメンバーの特性分析に基づいたアドバイス提供
図１Ａは、組織におけるメンバーの特性を分析するために用いられるアンケート表１０の一例を示す。
【００２３】
アンケート表１０は、複数の質問を含んでおり、複数の質問は、概して、あるシーンにおいて選択する行動を問う質問、および、あるシーンに対する感じ方を問う質問である。組織における各メンバーは、各質問に対して、多肢選択式で回答する。例えば、アンケート表１０の右端にチェックマークを記入して、該当する選択肢を選択することによって回答する。
【００２４】
本例では、仕事上の組織におけるメンバーの特性を分析することを説明する。あるシーンにおいて選択する行動を問う質問は、例えば、「これまでに社内で例のない新しい業務を担当してほしいと上司から言われました。他のメンバーは未定の状態です。どのような業務ならチャレンジしたいと思いますか？」という質問であり、「メディアで話題になりそうな案件」、「経験やスキルが活かせる案件」等の選択肢から回答させる。あるシーンにおいて選択する行動を問う質問は、例えば、「チームの業績目標に対して達成が難しい見通しとなっていることが分かりました。あなた自身の目標は達成の見直しの時、あなたはどうしますか？」という質問であり、「自分の当初の目標達成に向けて取り組む」、「チームのために自分の当初目標以上を目指す」等の選択肢から回答させる。
【００２５】
あるシーンに対する感じ方を問う質問は、例えば、「今期の目標設定に関して上司から話がありました。今期はチームも大きな目標をもつことになり、あなたにも高い目標を持ってほしい、出来るか分からないと感じるかもしれないが、一緒に頑張ろうと言われました。あなたは、前向きに取り組めそうですか？」という質問であり、「全くやる気が出ない」〜「全く問題なく取り組める」の５段階の選択肢から回答させる。
【００２６】
なお、アンケート表１０の質問およびその選択肢は一例であり、他の質問および選択肢であってもよい。また、選択肢の数は、２以上の任意の数であり得る。
【００２７】
組織の各メンバーによるアンケート表１０の回答結果は、本発明のコンピュータシステムに入力され、分析される。
【００２８】
図１Ｂおよび図１Ｃは、アンケート表１０の回答結果を本発明のコンピュータシステムによって分析した結果を表示する結果表示画面２０−１、２０−２の一例を示す。結果表示画面２０−１、２０−２は、結果表示画面２０−１を下にスクロールすると結果表示画面２０−２が表示されるようにしてもよいし、別個の画面として表示されるようにしてもよい。
【００２９】
結果表示画面２０−１、２０−２は、一例として、アンケート表１０に回答したＡＡＡさんの回答結果を本発明のコンピュータシステムによって分析した結果を表示している。
【００３０】
結果表示画面２０−１は、例えば、第１の表示部２１、第２の表示部２２、および第３の表示部２３を含む。第１の表示部２１は、ＡＡＡさんの回答結果から決定されたＡＡＡさんの特性に基づいて、ＡＡＡさんがより力を発揮するために意識した方がよいことに関するアドバイスを表示する部分である。第２の表示部２２は、ＡＡＡさんの回答結果から決定されたＡＡＡさんの欲求の特性を表示する部分である。ここでは、「仕事における欲求」という観点において、「難しい問題を解きたい」、「サポートしたい」、「影響力を発揮したい」、「オリジナリティを出したい」、「自信を得たい」、「目標達成したい」の項目を有するレーダーチャートで、ＡＡＡさんの欲求の特性を表示している。第３の表示部２３は、ＡＡＡさんの回答結果から決定されたＡＡＡさんの脳内伝達物質の特性を表示する部分である。ここでは、「仕事において力が発揮されやすい状態」という観点において、「“やらないといけない”と感じている時」、「“理解されている”という気持ちになっている時」、「“安心・安全”を感じている時」、「“やりたい”という気持ちになっている時」の項目を有するレーダーチャートで、ＡＡＡさんの脳内伝達物質の特性を表示している。
【００３１】
例えば、図１Ｂの第２の表示部２２は、ＡＡＡさんが、例えば、「サポートしたい」、「自信を得たい」という仕事における欲求が高いことを示しており、図１Ｂの第３の表示部２３は、ＡＡＡさんが、例えば、「“理解されている”という気持ちになっている時」、「“安心・安全”を感じている時」に仕事がはかどることを示している。
【００３２】
このような特性を有するＡＡＡさんに対して、本発明のコンピュータシステムは、例えば、「自分が担当する業務について、“どのように周囲の役に立っているのか”、“周囲にとってそれがどのくらい大切な役割なのか”を謙遜しすぎることなく理解すること」等が、ＡＡＡさんが力を発揮するために意識した方がよいことであると決定し、第１の表示部２１に表示する。ここでは、「仕事においてやる気を高めるために」意識した方がよいことが表示されている。例えば、「仕事をはかどらせるために」意識した方がよいことが表示されるようにしてもよい。これにより、ＡＡＡさんは、アンケート表１０に回答するだけで、自分がより力を発揮するためにどのようなことに意識すべきかのアドバイスを受けることができる。
【００３３】
結果表示画面２０−２は、例えば、第４の表示部２４、第５の表示部２５、および第６の表示部２６を含む。第４の表示部２４は、ＡＡＡさんの回答結果から決定されたＡＡＡさんの特性に基づいて、ＡＡＡさんがより力を発揮するために意識した方がよいことに関するアドバイスを表示する部分である。第５の表示部２５は、ＡＡＡさんの回答結果から決定されたＡＡＡさんの拘りの特性を表示する部分である。ここでは、「仕事を進めるうえで重視すること」という観点において、「気持ち」、「お互いの理解」、「チームワーク」、「進捗管理」、「事実分析」、「完璧度」、「役割範囲」の項目を有する面グラフで、ＡＡＡさんの拘りの特性を表示している。第６の表示部２６は、ＡＡＡさんの回答結果から決定されたＡＡＡさんのストレスの感じ方の特性を表示する部分である。ここでは、「仕事においてストレスを感じるポイント」という観点において、「曖昧な目標」、「明確な目標」、「手が届く目標」、「高い目標」、「業務のやり方が不明瞭」、「背景や理由が不明瞭」、「必要に応じて報告・相談」、「頻度の高い報告・相談」、「計画が変わる」、「計画を決めておく」、「長いスパンの業務」、「短いスパンの業務」、「同じ人と関わる」、「新しい人と関わる」、「誰かを巻き込む」、「自分で進める」の項目を有する面グラフで、ＡＡＡさんのストレスの感じ方の特性を表示している。
【００３４】
例えば、図１Ｃの第５の表示部２５は、ＡＡＡさんが、例えば、「気持ち」、「チームワーク」、「お互いの理解」を仕事を進めるうえで重視することを示しており、図１Ｃの第６の表示部２６は、ＡＡＡさんが、例えば、「業務のやり方が不明瞭」、「新しい人と関わる」、「自分で決める」、「誰かを巻き込む」ことにストレスを感じることを示している。
【００３５】
このような特性を有するＡＡＡさんに対して、本発明のコンピュータシステムは、例えば、「上司や同僚ともすり合わせをしながら、目標や課題のクリアーに向けて、常に“いつ・何を・どのような状態にすれば、ゴールへ到達できそうだ”というイメージを持てるようにして、業務を進めること」等が、ＡＡＡさんがより力を発揮するために意識した方がよいことであると決定し、第４の表示部２４に表示する。ここでは、「ストレスを軽減しながら仕事を進めるために」意識した方がよいことが表示されている。例えば、「仕事を進めるうえで重視することをより活かすために」意識した方がよいことが表示されるようにしてもよい。これにより、ＡＡＡさんは、アンケート表１０に回答するだけで、自分がより力を発揮するためにどのようなことに意識すべきかのアドバイスを受けることができる。
【００３６】
上述した例では、本発明のコンピュータシステムがＡＡＡさんの特性を決定し、ＡＡＡさんへのアドバイスを提供することを説明したが、本発明のコンピュータシステムは、ＡＡＡさん以外の組織の各メンバーに対しても、図１Ｂおよび図１Ｃに示されるように特性を決定し、その特性に基づいて、より力を発揮するためにどのようなことに意識すべきかのアドバイスを提供することができる。
【００３７】
上述した例では、アンケート表１０の回答結果に基づいて、組織のメンバーの特性を決定することを説明したが、本発明のコンピュータシステムは、例えば、組織のメンバーの行動に基づいて、組織のメンバーの特性を決定することができる。例えば、組織のメンバーの行動（動作）をカメラを介して捕捉し、行動を分析することにより、組織のメンバーの特性を決定することも可能である。例えば、組織のメンバーの行動（発話）をマイクを介して捕捉し、行動を分析することにより、組織のメンバーの特性を決定することも可能である。
【００３８】
図２Ａは、組織におけるメンバーが、本発明のコンピュータシステムを用いて、各メンバーの様子をマネージャ（管理者）に報告するための報告画面３０の一例を示す。
【００３９】
報告画面３０は、一例として、ＡＡＡさんがチームのメンバーの様子を報告するための画面を表示している。
【００４０】
報告画面３０は、メンバー表示部３１と、選択部３２と、気づきタイムライン表示部３３を含む。メンバー表示部３１は、組織におけるメンバーを表示する部分である。組織におけるすべてのメンバーが表示されるようにしてもよいし、一部のメンバー、例えば、管理職を除くメンバーが表示されるようにしてもよい。
【００４１】
ＡＡＡさんは、メンバー表示部３１から様子を報告したいメンバーを選択する。次いで、ＡＡＡさんは、そのメンバーの様子について、複数の状況のうちから１つを選択し、その状況がポジティブな状況（良い状況）にあるか、ネガティブな状況（悪い状況）にあるかを選択する。例えば、ＡＡＡさんが、ＣＣＣさんの様子について、業務のやり方や進め方に困っていそうだと感じたときは、メンバー表示部３１からＣＣＣさんを選択し、選択部３２のうちの「業務のやり方や進め方」の欄の「困っていそう！」ボタンを選択することにより、その旨をマネージャに報告することができる。例えば、ＡＡＡさんが、ＬＬＬさんの様子について、今の仕事を続けることに前向きになってきていると感じたときは、メンバー表示部３１からＬＬＬさんを選択し、選択部３２のうちの「今の仕事をつづけること」の欄の「前向きになってきている！」ボタンを選択することにより、その旨をマネージャに報告することができる。例えば、ＡＡＡさんは、自身の様子について自己申告で報告してもよい。この場合、メンバー表示部３１からＡＡＡさんを選択し、選択部３２のうちの該当するボタンを選択する。
【００４２】
なお、報告画面３０に表示される複数の状況は一例であり、他の状況であってもよい。例えば、「チームでの人間関係」に「困っていそう！」または「良好そう！」という状況、「チームでの意見の調整」に「困っていそう！」または「上手く進んでいそう！」という状況、「今の仕事をつづけること」に「不安がありそう！」または「いきいき取り組んでいる！」という状況、「目の前の仕事への集中」が「できていなさそう！」または「集中していそう！」という状況、「心身の状態」が「すぐれていなさそう！」または「すごくよさそう！」という状況等であってもよい。また、良い状況にあるか悪い状況にあるかの２択に限定されず、選択肢の数は、２以上の任意の数であり得、多段階的に状況を評価して報告するようにしてもよい。
【００４３】
組織におけるあるメンバーの様子が、ポジティブな状況（良い状況）であることの報告は、マネージャ（管理者）およびそのメンバーに通知され得る。これにより、マネージャが組織におけるメンバーの状況を把握することができるとともに、そのメンバーのモチベーションを高めることもできる。組織におけるあるメンバーの様子が、ネガティブな状況（悪い状況）であることの報告は、そのメンバーには通知されず、マネージャ（管理者）に通知され得る。
【００４４】
気づきタイムライン表示部３３には、組織内のあるメンバーが他のメンバーまたは自身の状況を報告したこと、および、報告に対して組織内の管理者が行ったコミュニケーションが時系列に表示される。これにより、組織内のメンバーは、他のメンバーの状況や、その状況に対して管理者がどのようなコミュニケーションを行ったかを把握することができる。
【００４５】
図２Ｂは、組織におけるメンバーがネガティブな状況にあることを通知するための通知画面４０の一例を示す。
【００４６】
通知画面４０は、一例として、ＡＡＡさんが計画どおりに業務を進めることに困っているという状況にあることを通知するための画面を表示している。通知画面４０は、例えば、報告画面３０においてＡＡＡさんがネガティブな状況にあることの報告がされたことをトリガとして、表示され得る。通知画面４０は、例えば、マネージャ等の組織を管理する権限を有している者のみが閲覧可能とすることができる。
【００４７】
通知画面４０は、報告者表示部４１と、第１のアドバイス表示部４２と、第２のアドバイス表示部４３とを含む。
【００４８】
報告者表示部４１には、ＡＡＡさんが計画どおりに業務を進めることに困っていそうと報告した人が表示される。ここでは３人のメンバー（ＥＥＥさん、ＦＦＦさん、ＫＫＫさん）が表示されている。報告者表示部４１には、例えば、報告した人の数のみが表示されるようにしてもよいし、報告した人の名前および報告した時間が表示されるようにしてもよい。
【００４９】
第１のアドバイス表示部４２には、ＡＡＡさんの特性を踏まえて、現在の状況のＡＡＡさんに有効なコミュニケーションが表示される。現在の状況のＡＡＡさんに有効なコミュニケーションは、例えば、「積極的に声をかけること」、「些細なことでもほめること」、「計画の見直しを提案すること」等であり得る。
【００５０】
第２のアドバイス表示部４３には、ＡＡＡさんの特性を踏まえて、現在の状況のＡＡＡさんに有効でないコミュニケーションが表示される。現在の状況のＡＡＡさんに有効でないコミュニケーションは、例えば、「業務が進んでいないことを注意すること」、「他のメンバーと比較すること」、「『がんばれ』と声をかけること」等であり得る。図２Ｂに示される例では、現在の状況のＡＡＡさんに有効なコミュニケーションおよび有効でないコミュニケーションが箇条書きで表示されているが、例えば、文章で表示されるようにしてもよいし、フレーズで表示されるようにしてもよい。
【００５１】
組織のマネージャは、通知画面４０に表示されたＡＡＡさんに有効なコミュニケーションおよび有効でないコミュニケーションを参考にして、計画どおりに業務を進めることに困っているＡＡＡさんに対してコミュニケーションをすることができる。さらに、ＡＡＡさんは、マネージャから受けたコミュニケーションが良かったか悪かったかを評価してフィードバックをすることができる。例えば、ＡＡＡさんは、評価画面（図示せず）に受けたコミュニケーションとその評価とを入力することができる。
【００５２】
第１のアドバイス表示部４２に表示される有効なコミュニケーションおよび第２のアドバイス表示部４３に表示される有効でないコミュニケーションは、ＡＡＡさんの特性、ＡＡＡさんの状況、および、ＡＡＡさんによる評価に応じて変化する。これにより、有効なコミュニケーションおよび有効でないコミュニケーションは、人物の特性、現在の状況、およびその人物の感じ方に合ったものとなるため、マネージャは、経験則や感覚に基づいたアドバイスではなく、人物の特性、現在の状況、およびその人物の感じ方に合ったアドバイスを受けることができるようになる。
【００５３】
上述した例では、組織内のメンバーの状況を組織の管理者に報告し、組織のメンバーとのコミュニケーションについてのアドバイスを組織の管理者に提供することを説明したが、本発明は、これに限定されない。組織のメンバーの状況を、組織の管理者に限定されない任意の他のメンバーに報告し、組織のメンバーとのコミュニケーションについてのアドバイスを、当該他のメンバーに提供することも本発明の範囲内である。例えば、当該他のメンバーは、組織内のメンバーの同僚であり得、同僚は、特定の状況下のメンバーに対してどのようなコミュニケーションが有効で、どのようなコミュニケーションが有効でないかを知ることができ、不具合のないコミュニケーションを行うことができる。なお、本明細書において、「コミュニケーション」は、ある人が他の人に対して行う任意の行為のことを言い、行為をしないことも含む。例えば、「コミュニケーション」は、ある人が他の人に対して言葉をかけること、ある人が他の人に対して言葉をかけないこと、ある人が他の人に対して態度を示すこと、ある人が他の人に対して態度を示さないこと、ある人が他の人に対して動作をすること、ある人が他の人に対して動作をしないこと等を含み得る。
【００５４】
上述した例では、仕事上の組織におけるメンバーの特性を分析し、仕事上のコミュニケーションについてアドバイスを提供することを説明したが、本発明はこれに限定されない。任意の組織におけるメンバーの特性を分析し、任意の場面におけるコミュニケーションについてのアドバイスを提供することができる。例えば、スポーツチームにおけるメンバーの特性を分析し、スポーツの試合または練習の場におけるコミュニケーションについてのアドバイスを提供するようにしてもよい。例えば、学校のクラスのメンバーの特性を分析し、学校生活におけるコミュニケーションについてのアドバイスを提供するようにしてもよい。
【００５５】
以下では、上述したように、コミュニケーションについてのアドバイスを提供することができる本発明のコンピュータシステム１００について説明する。
【００５６】
２．コンピュータシステム１００の構成
図３Ａは、コミュニケーションについてのアドバイスを提供することができる本発明のコンピュータシステム１００の構成の一例を示す。
【００５７】
コンピュータシステム１００は、インターフェース部１１０と、プロセッサ部１２０と、メモリ１３０部とを備える。コンピュータシステム１００は、データベース部２００に接続されている。
【００５８】
インターフェース部１１０は、コンピュータシステム１００の外部と情報のやり取りを行う。コンピュータシステム１００のプロセッサ部１２０は、インターフェース部１１０を介して、コンピュータシステム１００の外部から情報を受信することが可能であり、コンピュータシステム１００の外部に情報を送信することが可能である。インターフェース部１１０は、任意の形式で情報のやり取りを行うことができる。
【００５９】
インターフェース部１１０は、例えば、コンピュータシステム１００に情報を入力することを可能にする入力部を備える。入力部が、どのような態様でコンピュータシステム１００に情報を入力することを可能にするかは問わない。例えば、入力部がタッチパネルである場合には、ユーザがタッチパネルにタッチすることによって情報を入力するようにしてもよい。あるいは、入力部がマウスである場合には、ユーザがマウスを操作することによって情報を入力するようにしてもよい。あるいは、入力部がキーボードである場合には、ユーザがキーボードのキーを押下することによって情報を入力するようにしてもよい。あるいは、入力部がマイクである場合には、ユーザがマイクに音声を入力することによって情報を入力するようにしてもよい。あるいは、入力部がカメラである場合には、カメラが撮像した情報を入力するようにしてもよい。あるいは、入力部がデータ読み取り装置である場合には、コンピュータシステム１００に接続された記憶媒体から情報を読み取ることによって情報を入力するようにしてもよい。あるいは、入力部が受信器である場合、受信器がネットワークを介してコンピュータシステム１００の外部から情報を受信することにより入力してもよい。この場合、ネットワークの種類は問わない。例えば、受信器は、インターネットを介して情報を受信してもよいし、ＬＡＮを介して情報を受信してもよい。
【００６０】
インターフェース部１１０は、例えば、コンピュータシステム１００から情報を出力することを可能にする出力部を備える。出力部が、どのような態様でコンピュータシステム１００から情報を出力することを可能にするかは問わない。例えば、出力部が表示画面である場合、表示画面に情報を出力するようにしてもよい。あるいは、出力部がスピーカである場合には、スピーカからの音声によって情報を出力するようにしてもよい。あるいは、出力部がデータ書き込み装置である場合、コンピュータシステム１００に接続された記憶媒体に情報を書き込むことによって情報を出力するようにしてもよい。あるいは、出力部が送信器である場合、送信器がネットワークを介してコンピュータシステム１００の外部に情報を送信することにより出力してもよい。この場合、ネットワークの種類は問わない。例えば、送信器は、インターネットを介して情報を送信してもよいし、ＬＡＮを介して情報を送信してもよい。
【００６１】
プロセッサ部１２０は、コンピュータシステム１００の処理を実行し、かつ、コンピュータシステム１００全体の動作を制御する。プロセッサ部１２０は、メモリ部１３０に格納されているプログラムを読み出し、そのプログラムを実行する。これにより、コンピュータシステム１００を所望のステップを実行するシステムとして機能させることが可能である。プロセッサ部１２０は、単一のプロセッサによって実装されてもよいし、複数のプロセッサによって実装されてもよい。
【００６２】
メモリ部１３０は、コンピュータシステム１００の処理を実行するために必要とされるプログラムやそのプログラムの実行に必要とされるデータ等を格納する。メモリ部１３０は、コミュニケーションについてのアドバイスを提供するための処理をプロセッサ部１２０に行わせるためのプログラム（例えば、後述する図４、図６に示される処理を実現するプログラム）を格納してもよい。ここで、プログラムをどのようにしてメモリ部１３０に格納するかは問わない。例えば、プログラムは、メモリ部１３０にプリインストールされていてもよい。あるいは、プログラムは、ネットワークを経由してダウンロードされることによってメモリ部１３０にインストールされるようにしてもよい。この場合、ネットワークの種類は問わない。メモリ部１３０は、任意の記憶手段によって実装され得る。
【００６３】
データベース部２００には、例えば、提供され得るアドバイスが格納されている。提供され得るアドバイスは、例えば、組織内のメンバーの特性と関連付けられて格納され得る。例えば、組織内のメンバーの特性が少なくとも４つの観点を含む場合、提供され得るアドバイスは、少なくとも４つの観点のうちの少なくとも１つと関連付けられて格納される。例えば、データベース部２００には、各観点について、その観点の値が低いメンバーのためのアドバイス、その観点の値が中程度のメンバーのためのアドバイス、その観点の値が高いメンバーのためのアドバイス等が格納されてもよい。例えば、データベース部２００には、各観点について、その観点の値の差異が大きいメンバー／チームのためのアドバイス、その観点の値の差異が小さいメンバー／チームのためのアドバイス等が格納されてもよい。例えば、少なくとも４つの観点のそれぞれが複数の項目に細分される場合、提供され得るアドバイスは、少なくとも４つの観点のそれぞれの複数の項目のうちの少なくとも１つと関連付けられて格納される。例えば、データベース部２００には、各観点の複数の項目のそれぞれについて、その項目の値が低いメンバーのためのアドバイス、その項目の値が中程度のメンバーのためのアドバイス、その項目の値が高いメンバーのためのアドバイス等が格納されてもよい。例えば、データベース部２００には、各観点の複数の項目のそれぞれについて、その項目の値の差異が大きいメンバー／チームのためのアドバイス、その項目の値の差異が小さいメンバー／チームのためのアドバイス等が格納されてもよい。
【００６４】
データベース部２００に格納されるアドバイスは、例えば、組織の属性に関連付けられて格納されてもよい。例えば、データベース部２００に格納されるアドバイスは、第一次産業の組織向けのアドバイス、第二次産業の組織向けのアドバイス、第三次産業の組織向けのアドバイスに区分されて格納され得る。これにより、属性が異なる組織毎に異なるアドバイスを提供することができるようになる。
【００６５】
データベース部２００において、提供され得るアドバイスは、例えば、複数の状況のうちの特定の状況と、組織のメンバーの特性とに関連付けられて格納され得る。
【００６６】
図３Ｂは、データベース部２００に格納されるデータ構成の一例を示す図である。
【００６７】
例えば、データベース部２００は、「計画通りに業務を進めることにおいて困っている」という状況と、組織のメンバーの特性と、組織のメンバーに対するコミュニケーションとが関連付けられて格納された第１のデータベース２０１と、「業務のやり方や進め方において困っている」という状況と、組織のメンバーの特性と、組織のメンバーに対するコミュニケーションとが関連付けられて格納された第２のデータベース２０２とを含み得る。
【００６８】
例えば、各データベースには、同一または類似する特性を有する組織内の他のメンバーまたは組織外のユーザがそのコミュニケーションを受けたときにそのコミュニケーションを評価した結果も関連付けられて格納され得る。例えば、「目標を達成したい」という特性を有する組織内の他の複数のメンバーまたは組織外の複数のユーザが、「計画通りに業務を進めることにおいて困っている」状況下で「積極的に声をかける」というコミュニケーションを受けたとき、このコミュニケーションが良かったと評価した者とこのコミュニケーションが悪かったと評価した者との割合が９０：１０として、第１のデータベース２０１に格納され得る。例えば、「目標を達成したい」という特性を有する組織内の他の複数のメンバーまたは組織外の複数のユーザが、「計画通りに業務を進めることにおいて困っている」状況下で「些細なことでもほめる」というコミュニケーションを受けたとき、このコミュニケーションが良かったと評価した者とこのコミュニケーションが悪かったと評価した者との割合が６５：３５として、第１のデータベース２０１に格納され得る。例えば、「影響力を発揮したい」という特性を有する組織内の他の複数のメンバーまたは組織外の複数のユーザが、「計画通りに業務を進めることにおいて困っている」状況下で「積極的に声をかける」というコミュニケーションを受けたとき、このコミュニケーションが良かったと評価した者とこのコミュニケーションが悪かったと評価した者との割合が２０：８０として、第１のデータベース２０１に格納され得る。
【００６９】
提供され得るアドバイスは、例えば、複数の状況のうちの特定の状況と、組織のメンバーの特性とに加えて、組織のメンバーに対してコミュニケーションを行う人物（例えば、組織の管理者、または組織の他のメンバー）の特性と関連付けられて格納されるようにしてもよい。
【００７０】
図３Ａに示される例では、データベース部２００は、コンピュータシステム１００の外部に設けられているが、本発明はこれに限定されない。データベース部２００をコンピュータシステム１００の内部に設けることも可能である。このとき、データベース部２００は、メモリ部１３０を実装する記憶手段と同一の記憶手段によって実装されてもよいし、メモリ部１３０を実装する記憶手段とは別の記憶手段によって実装されてもよい。いずれにせよ、データベース部２００は、コンピュータシステム１００のための格納部として構成される。データベース部２００の構成は、特定のハードウェア構成に限定されない。例えば、データベース部２００は、単一のハードウェア部品で構成されてもよいし、複数のハードウェア部品で構成されてもよい。例えば、データベース部２００は、コンピュータシステム１００の外付けハードディスク装置として構成されてもよいし、ネットワークを介して接続されるクラウド上のストレージとして構成されてもよい。
【００７１】
図３Ｃは、プロセッサ部１２０の構成の一例を示す。
【００７２】
プロセッサ部１２０は、受信手段１２１と、決定手段１２２と、取得手段１２３と、出力手段１２４とを少なくとも備える。
【００７３】
受信手段１２１は、インターフェース部１１０から情報を受信するように構成され得る。
【００７４】
受信手段１２１は、少なくとも１人の組織内のメンバーの特性を受信する第１の受信手段１２１１を含み得る。第１の受信手段１２１１は、例えば、インターフェース部１１０を介してコンピュータシステム１００に入力されたメンバーの特性を、インターフェース部１１０から受信してもよいし、プロセッサ部１２０が備え得る第２の決定手段（図示せず）が決定した組織内のメンバーの特性を、第２の決定手段から受信してもよい。このとき、第２の決定手段は、インターフェース部１１０を介してコンピュータシステム１００に入力されたデータをインターフェース部１１０から受信し得る。
【００７５】
受信手段１２１は、少なくとも１人の組織内の管理者（例えば、組織のマネージャー）の特性を受信する第２の受信手段１２１２をさらに含み得る。第２の受信手段１２１２は、例えば、インターフェース部１１０を介してコンピュータシステム１００に入力された管理者の特性を、インターフェース部１１０から受信してもよいし、プロセッサ部１２０が備え得る第２の決定手段（図示せず）が決定した管理者の特性を、第２の決定手段から受信してもよい。このとき、第２の決定手段は、インターフェース部１１０を介してコンピュータシステム１００に入力されたデータをインターフェース部１１０から受信し得る。
【００７６】
受信手段１２１の第１の受信手段１２１１、第２の受信手段１２１２は、同一の受信手段によって構成されてもよいし、複数の受信手段によって構成されてもよい。
【００７７】
決定手段１２２は、組織内のメンバーが複数の状況のうちのある状況下にあることを決定するように構成され得る。決定手段１２２は、例えば、インターフェース部１１０を介してコンピュータシステム１００に入力されたデータに応じて、組織内のメンバーが複数の状況のうちのある状況下にあることを決定し得る。決定手段１２２は、例えば、組織内のメンバーが自身が特定の状況下にあることの報告を自身の端末装置（例えば、パーソナルコンピュータ、スマートフォン等）に入力したとき、その報告インターフェース部１１０を介して受信し、その報告に基づいて、そのメンバーが特定の状況下にあることを決定する。あるいは、決定手段１２２は、例えば、組織内の他のメンバーが組織内のメンバーが特定の状況下にあることの報告を自身の端末装置（例えば、パーソナルコンピュータ、スマートフォン等）に入力したとき、その報告をインターフェース部１１０を介して受信し、その報告に基づいて、そのメンバーが特定の状況下にあることを決定する。あるいは、決定手段１２２は、例えば、組織内の管理者が組織内のメンバーが特定の状況下にあることの報告を自身の端末装置（例えば、パーソナルコンピュータ、スマートフォン等）に入力したとき、その報告をインターフェース部１１０を介して受信し、その報告に基づいて、そのメンバーが特定の状況下にあることを決定する。あるいは、決定手段１２２は、例えば、カメラまたはマイク等を用いて捕捉された組織内のメンバーの行動に基づいて、そのメンバーが特定の状況下にあることを決定する。例えば、決定手段１２２は、マイクを用いて捕捉された組織内のメンバーのネガティブな発話に基づいて、そのメンバーが悪い状況下にあることを決定する。このとき、決定手段１２２は、例えば、動作認識技術、音声認識技術、自然言語処理技術等の公知の技術を用いて組織内のメンバーの行動を解析することができる。
【００７８】
組織内のメンバーが複数の状況のうちのある状況下にあることの報告は、例えば、組織内のメンバーが、良い状況にあることを示す報告、悪い状況にあることを示す報告を含む。複数の状況は、例えば、仕事をするうえで直面する複数の状況であり得、例えば、図２Ａに示されるように、「計画通りに業務を進めることにおいて困っている状況」、「計画通りに業務を進めることにおいて順調に進んでいる状況」、「業務のやり方や進め方において困っている状況」、「業務のやり方や進め方において順調に進んでいる状況」等を含み得るがこれに限定されない。
【００７９】
取得手段１２３は、第１の人物に対して過去になされたコミュニケーションの第１の人物による評価を取得する。取得手段１２３は、例えば、データベース部２００に格納されている評価をデータベース部２００から取得するようにしてもよいし、システム１００の外部から送信された評価を受信することにより、評価を取得するようにしてもよい。
【００８０】
第１の人物は、組織内のメンバーと同一の組織内の人物であってもよいし、当該組織外の人物であってもよい。当該組織外の人物である場合には、例えば、当該組織と同一の業種を有する組織内に人物であってもよいし、当該組織と同一の職種を有する組織内の人物であってもよい。
【００８１】
ここで、第１の人物は、例えば、組織内のメンバーと同一または類似する特性を有する人物であることが好ましい。同一または類似する特性を有する人物が、どのようなコミュニケーションを良いと感じ、どのようなコミュニケーションを悪いと感じたかを考慮に入れることにより、本発明のコンピュータシステム１００から出力されるアドバイスが、特定の特性を有する組織のメンバーに、より適したものになり得るからである。本明細書において、類似する特性とは、特性を数値で表した場合に、数値の差異が所定の範囲内にある特性のことをいう。例えば、特性が複数の項目に細分され、各項目が数値で表される場合（例えば、図１Ｂに示されるように、特性がレーダーチャートで表される場合）、類似する特性は、例えば、各項目の数値の差異それぞれが所定の範囲内にある特性であってもよいし、各項目の数値の差異のうちの所定数の差異が所定の範囲内にある特性であってもよいし、各項目の数値の差異のうち最大の差異が所定の閾値以下である特性であってもよいし、各項目の数値の差異のうち最小の差異が所定の閾値以下である特性であってもよい。所定の範囲は、適宜設定され得、例えば、数値の±１％〜±２０％であってもよく、例えば、数値の±１％、±５％、±１０％、±１５％、±２０％等であり得る。
【００８２】
また、第１の人物に対して過去になされたコミュニケーションは、決定手段１２２によって決定された組織内のメンバーが置かれた状況と同一の状況下の第１の人物に対して過去になされたコミュニケーションであることが好ましい。同一の状況下においてコミュニケーションを受けた人物が、どのようなコミュニケーションを良いと感じ、どのようなコミュニケーションを悪いと感じたかを考慮に入れることにより、本発明のコンピュータシステム１００から出力されるアドバイスが、特定の状況下の組織のメンバーに、より適したものになり得るからである。
【００８３】
取得手段１２３は、例えば、第１の人物が自身の端末装置（例えば、パーソナルコンピュータ、スマートフォン等）に入力した、過去に受けたコミュニケーションの評価をインターフェース部１１０を介して取得する。ここで、第１の人物は、組織内のメンバーであってもよいし、組織内のメンバーとは異なる人物（例えば、組織内の他のメンバーまたは組織外のユーザ）であってもよい。例えば、第１の人物が過去に受けたコミュニケーションは、コンピュータシステム１００によってアドバイスを提供される人物（例えば、組織内のメンバーを管理する管理者、または組織内の他のメンバー）と同一または類似する特性を有する第２の人物によってなされたものであり得る。第２の人物は、例えば、コンピュータシステム１００によってアドバイスを提供される人物自身であってもよいし、その他の人物（例えば、組織外のユーザ）であってもよい。第２の人物がその他の人物である場合には、第２の人物は、第１の人物に対してコミュニケーションを取り得る人物である必要がある。
【００８４】
取得手段１２３は、システム１００の外部から送信された評価を取得する場合、例えば、評価とともに、第１の人物の特性、第１の人物の状況、および第１の人物が受けたコミュニケーションを示す情報を取得するようにしてもよい。取得手段１２３によって取得された評価は、第１の人物の特性および第１の人物の状況とともに第１の人物が受けたコミュニケーションに関連付けられてデータベース部２００に格納され得る。取得手段１２３は、例えば、第２の人物の特性も受信するようにしてもよい。取得手段１２３によって取得された評価は、第１の人物の特性、第１の人物の状況、および第２の人物の特性とともに第１の人物が受けたコミュニケーションに関連付けられてデータベース部２００に格納され得る。
【００８５】
出力手段１２４は、情報処理を行い、特定の出力を提供する。出力手段１２４からの出力は、インターフェース部１１０を介してコンピュータシステム１００の外部に出力され得る。
【００８６】
出力手段１２４は、例えば、受信手段１２１から提供された組織のメンバーの特性と、決定手段１２２から提供された組織のメンバーの状況と、取得手段１２３から提供された評価とに基づいて、出力を提供する。このとき、出力手段１２４は、決定手段１２２が決定した状況における組織内のメンバーに対するコミュニケーションについてのアドバイスを出力することができる。コミュニケーションについてのアドバイスは、例えば、特定の状況下の組織内のメンバーに対して有効なコミュニケーションが何であるか、および、特定の状況下の組織内のメンバーに対して有効でないコミュニケーションが何であるかの少なくとも１つを含み得る。出力手段１２４は、決定手段１２２が受信した報告の入力を行ったメンバーの情報、例えば、メンバーの数、メンバーの名前等を出力してもよい。
【００８７】
上述したように、プロセッサ部１２０は、第２の決定手段（図示せず）を備え得る。
【００８８】
第２の決定手段は、インターフェース部１１０を介してコンピュータシステム１００に入力されたデータをインターフェース部１１０から受信し、そのデータから組織内のメンバーまたは管理者の特性を決定する。第２の決定手段は、例えば、少なくとも４つの観点について組織内のメンバーまたは管理者の特性を決定する。４つの観点は、例えば、図１Ｂおよび図１Ｃを参照して上述した、欲求の特性、脳内伝達物質の特性、拘りの特性、ストレスの感じ方の特性であり得る。第２の決定手段は、上記４つの観点に変えて、または加えて、他の観点から組織内のメンバーまたは管理者の特性を決定するようにしてもよい。
【００８９】
第２の決定手段に提供されるデータは、例えば、図１Ａに示されるようなユーザに対する質問の回答結果を示すデータであってもよいし、例えば、組織内メンバーまたは管理者の行動を示すデータであってもよい。組織内のメンバーまたは管理者の行動を示すデータは、例えば、カメラまたはマイクで捕捉されたデータから抽出され得る。カメラまたはマイクで捕捉されたデータからユーザの行動を示すデータを抽出する技術は、例えば、公知の動作認識技術、音声認識技術、自然言語処理技術等を用いて達成され得る。
【００９０】
なお、上述したコンピュータシステム１００の各構成要素は、単一のハードウェア部品で構成されていてもよいし、複数のハードウェア部品で構成されていてもよい。複数のハードウェア部品で構成される場合は、各ハードウェア部品が接続される態様は問わない。各ハードウェア部品は、無線で接続されてもよいし、有線で接続されてもよい。本発明のコンピュータシステム１００は、特定のハードウェア構成には限定されない。プロセッサ部１２０をデジタル回路ではなくアナログ回路によって構成することも本発明の範囲内である。本発明のコンピュータシステム１００の構成は、その機能を実現できる限りにおいて上述したものに限定されない。
【００９１】
３．コンピュータシステム１００による処理
図４は、コンピュータシステム１００において行われる、コミュニケーションについてのアドバイスを提供するための処理４００の一例を示す。コンピュータシステム１００は、処理４００を行うことによって、特定の状況下の組織内のメンバーに対してどのようなコミュニケーションをとるべきかのアドバイスを提供することができる。アドバイスは、例えば、マネージャ等の組織の管理者に提供されてもよく、組織内の他のメンバーに提供されてもよい。これにより、組織内のメンバーと、組織内の管理者または他のメンバーとのコミュニケーションにおける不具合を解消することができ、また、客観的な分析に基づいた適切なコミュニケーションを行うことができるようになる。
【００９２】
ステップＳ４０１において、プロセッサ部１２０の受信手段１２１が、組織のメンバーの特性を受信する。受信手段１２１は、インターフェース部１１０を介して入力された組織のメンバーの特性を受信してもよいし、受信手段１２１は、インターフェース部１１０を介して入力されたデータに基づいて第２の決定手段が決定した組織のメンバーの特性を受信してもよい。
【００９３】
組織のメンバーの特性は、例えば、少なくとも４つの観点を有し得る。４つの観点は、例えば、欲求の特性、脳内伝達物質の特性、拘りの特性、ストレスの感じ方の特性であり得る。組織のメンバーの特性は、例えば、少なくとも４つの観点についてインターフェース部１１０を介して入力されるようにしてもよいし、第２の決定手段によって少なくとも４つの観点について決定されるようにしてもよい。第２の決定手段は、例えば、インターフェース部１１０を介して入力されたデータと、少なくとも４つの観点とを関連付ける対応表を用いて、組織のメンバーの特性を決定する。
【００９４】
図５は、組織のメンバーの特性を決定するための対応表５００の一例である。
【００９５】
対応表５００は、図１Ａに示されるアンケート表１０における各質問の選択肢と、４つの観点についてのメンバーの特性とを関連付ける。縦欄に各質問の選択肢が示されており、横欄に４つの観点についてのメンバーの特性が示されている。
【００９６】
４つの観点の各々は、複数の項目に細分されている。例えば、欲求の特性は、「目標を達成したい」、「難しい問題を解きたい」等の６つの項目に細分されている。例えば、拘りの特性は、「気持ち」、「つながり」等の７つの項目に細分されている。これらの項目は、例えば、図１Ｂおよび図１Ｃの第２の表示部２２、第３の表示部２３、第５の表示部２５、および第６の表示部２６に表示される項目に対応し得る。
【００９７】
対応表５００では、各質問の選択肢に、各項目に対する素点が割り振られており、各質問の選択肢に応じて、各項目に素点が加算されていくようになっている。例えば、質問１に対して「メディアで話題になりそうな案件」と回答すると、選択肢「メディアで話題になりそうな案件」に割り振られた素点が各項目に加算され、質問２に対して「チーム内で作戦会議を提案する」と回答すると、選択肢「チーム内で作戦会議を提案する」に割り振られた素点が各項目に加算されるようになっている。このようにして、すべての質問に対する回答された選択肢に割り振られた素点を加算することにより、その項目の点数が算出され、各項目の点数分布によってメンバーの特性を決定することができる。なお、素点を加算する際に、点数の入りやすさを考慮して重みづけをすることにより、より精度よく点数を算出できるようになる。また、各質問の選択肢のそれぞれに、複数の項目が関連付けられて素点を割り振られている。これにより、メンバーが、妥当な回答や推奨される回答を意識して回答するようなバイアスのかかった回答を低減することができ、より精度を高くメンバーの特性を決定できるようになっている。
【００９８】
対応表５００における素点の割り振りは、組織毎に変更するようにしてもよいし、組織毎に不変であってもよい。また、組織の状況に応じて、または、経時的に変動するようにしてもよいし、不変であってもよい。質問の選択肢と各項目とが適切に相関するように素点を割り振るように留意すべきである。
【００９９】
図５に示される例では、図１Ａに示されるアンケート表１０における各質問の選択肢を４つの観点と関連付けることを説明したが、４つの観点と関連付けられる対象は、各質問の選択肢に限定されない。４つの観点と関連付けられる対象は、インターフェース部１１０を介して入力され得るデータからメンバーの特性を決定できる限り任意のものであり得る。例えば、メンバーの行動が４つの観点と関連付けられ得る。例えば、メンバーの特定の発言、特定の所作等に、各項目に対する素点を割り振るようにしてもよい。これにより、例えば、メンバーをカメラおよびマイクを用いて観察し、特定の発言が認識されたときに、その特定の発言に割り振られた素点を加算し、特定の所作が認識されたときに、その特定の所作に割り振られた素点を加算することにより、その項目の点数が算出され、各項目の点数分布によって組織のメンバーの特性を決定することができる。
【０１００】
上述した組織内のメンバーの特性は一例であり、組織内のメンバーの特性として他の任意の特性を用いることができる。
【０１０１】
図４を再び参照して、ステップＳ４０２において、プロセッサ部１２０の決定手段１２２が、組織内のメンバーが複数の状況のうちのある状況下にあることを決定する。プロセッサ部１２０の決定手段１２２は、例えば、組織内のメンバーが複数の状況のうちのある状況下にあることの報告が、インターフェース部１１０を介してコンピュータシステム１００に入力されることに応答して、組織内のメンバーが複数の状況のうちのある状況下にあることを決定することができる。
【０１０２】
組織内のメンバーが複数の状況のうちのある状況下にあることの報告は、例えば、図２に示される報告画面３０における選択部３２を選択することによって入力され得る。報告は、例えば、組織内のメンバー自身が入力したものであってもよいし、組織内の他のメンバーが入力したものであってもよいし、組織内の管理者が入力したものであってもよい。
【０１０３】
決定手段１２２は、例えば、カメラまたはマイク等を用いて捕捉された組織内のメンバーの行動に基づいて、そのメンバーが特定の状況下にあることを決定するようにしてもよい。
【０１０４】
ステップＳ４０３において、プロセッサ部１２０の取得手段１２３が、第１の人物に対して過去になされたコミュニケーションの第１の人物による評価を取得する。取得手段１２３は、例えば、データベース部２００に格納されている評価をデータベース部２００から取得するようにしてもよいし、システム１００の外部から送信された評価を受信することにより、評価を取得するようにしてもよい。
【０１０５】
ここで、第１の人物は、例えば、組織内のメンバーと同一または類似する特性を有する人物であることが好ましい。また、第１の人物に対して過去になされたコミュニケーションは、決定手段１２２によって決定された組織内のメンバーが置かれた状況と同一の状況下の第１の人物に対して過去になされたコミュニケーションであることが好ましい。組織内のメンバーの状況および特性に対応する人物の過去のコミュニケーションを参照することができ、システム１００によって提供されるアドバイスが、組織のメンバーの状況および特性により適したものになるからである。
【０１０６】
第１の人物はコミュニケーションを受けたときに、そのコミュニケーションが良かったか、悪かったかを評価することができる。評価は、例えば、良いか悪いか、または役に立ったか役に立たなかったか等の２段階での評価であってもよいし、２よりも多い多段階での評価であってもよい。評価は、中間の評価よりも良ければ高評価とみなされ、中間の評価よりも悪ければ低評価とみなされ得る。
【０１０７】
ここで、第１の人物は、組織内のメンバーであってもよいし、組織内のメンバーとは異なる人物（例えば、組織内の他のメンバーまたは組織外のユーザ）であってもよい。例えば、第１の人物が過去に受けたコミュニケーションは、コンピュータシステム１００によってアドバイスを提供される人物（例えば、組織内のメンバーを管理する管理者、または組織内の他のメンバー）と同一または類似する特性を有する第２の人物によってなされたものであり得る。第２の人物は、例えば、コンピュータシステム１００によってアドバイスを提供される人物（例えば、管理者）自身であってもよいし、その他の人物（例えば、組織外のユーザ）であってもよい。第２の人物がその他の人物である場合には、第２の人物は、第１の人物に対してコミュニケーションを取り得る人物である必要がある。
【０１０８】
ステップＳ４０４において、プロセッサ部１２０の出力手段１２４は、ステップＳ４０１で受信された組織内のメンバーの特性と、ステップＳ４０２で決定された状況と、ステップＳ４０３で取得された評価とに基づいて、決定された状況下の組織内のメンバーに対するコミュニケーションについてのアドバイスを出力する。出力手段１２４は、例えば、インターフェース部１１０を介して、コンピュータシステム１００の外部にアドバイスを出力することができる。
【０１０９】
例えば、出力手段１２４は、データベース部２００に格納されているコミュニケーションを参照し、ステップＳ４０２で決定された状況およびステップＳ４０１で受信されたメンバーの特性の両方に関連付けられたコミュニケーションをデータベース部から取得する。そのとき、そのコミュニケーションに対する評価を参照し、評価が良いコミュニケーションが組織内のメンバーに対して有効なコミュニケーションであるというアドバイス、および、評価が悪いコミュニケーションが組織内のメンバーに対して有効でないコミュニケーションであるとのアドバイスの少なくとも１つを出力することができる。出力手段１２４は、例えば、取得されたコミュニケーションが複数ある場合、それらのコミュニケーションに対する評価を参照し、評価が良い順に降順または昇順で並べ替えて、組織内のメンバーに対して有効なコミュニケーションとして出力するようにしてもよいし、評価が悪い順に降順または昇順で並べ替えて、組織内のメンバーに対して有効でないコミュニケーションとして出力するようにしてもよい。あるいは、出力手段１２４は、例えば、評価が所定の閾値よりも高いまたは低いコミュニケーションのみを組織内のメンバーに対して有効なコミュニケーションまたは組織内のメンバーに対して有効でないコミュニケーションとして出力するようにしてもよい。
【０１１０】
例えば、データベース部２００において、コミュニケーションが図３Ｂに示されるように関連付けられて格納されている場合、「計画通りに業務を進めることにおいて困っている」状況下の組織内のメンバーが、「目標を達成したい」という欲求の特性を有しているとき、出力手段１２４は、格納されている評価を参照して、「積極的に声をかけること」、「些細なことでもほめること」、「他のメンバーと比較すること」の順に、組織内のメンバーに対して有効なコミュニケーションとして出力するようにしてもよいし、高評価が６０％以上の「積極的に声をかけること」、「些細なことでもほめること」のみを組織内のメンバーに対して有効なコミュニケーションとして出力するようにしてもよい。
【０１１１】
例えば、出力手段１２４は、組織のメンバーの特性とは正反対の特性を有する第１の人物が悪いと評価したコミュニケーションをデータベース部２００から取得し、組織のメンバーにとっては有効なコミュニケーションであるとして出力するようにしてもよい。
【０１１２】
このようにして出力されたアドバイスは、例えば、図２Ｂに示される通知画面４０の第１のアドバイス表示部４２または第２のアドバイス表示部４３に表示され得る。例えば、組織内のメンバーに有効なコミュニケーションは、図２Ｂに示される通知画面４０の第１のアドバイス表示部４２に表示され得、組織内のメンバーに有効でないコミュニケーションは、図２Ｂに示される通知画面４０の第２のアドバイス表示部４３に表示され得る。
【０１１３】
このように、組織内のメンバーが置かれている状況と、組織内のメンバーの特性と、コミュニケーションに対する評価とに基づいて、組織内のメンバーとのコミュニケーションについてのアドバイスを提供することにより、特定の状況下のメンバーに対してどのようなコミュニケーションをとるべきかのアドバイスを提供することができる。特に、過去になされたコミュニケーションとその評価とが考慮されるため、自身または他人の過去の成功または失敗を踏まえたコミュニケーションについてのアドバイスが提供されることになる。さらに、第１の人物が組織内のメンバーと同一または類似する特性を有する人物である場合には、組織内のメンバーの特性により適したアドバイスが提供されるようになる。また、第１の人物に対して過去になされたコミュニケーションが、組織内のメンバーが置かれた状況と同一の状況下の第１の人物に対して過去になされたコミュニケーションである場合には、組織内のメンバーの状況により適したアドバイスが提供されるようになる。このようにして、本発明のコンピュータシステム１００は、一人ひとりのメンバーに対する最適なコミュニケーションの仕方についてアドバイスを提供することができるのである。組織の管理者は、経験則や感覚、主観的な認識等の不確定な変動要素に基づくのではなく、客観的な分析に基づいたアドバイスを受けることができ、組織内のメンバーとの適切なコミュニケーションをすることができるようになる。これにより、組織内の管理者と組織内のメンバーとのコミュニケーションが円滑になり、組織内のメンバーによる協働が促進され、ひいては、効率の改善につながる。また、組織のマネジメントを効果的にすることを促すことも可能である。
【０１１４】
上述した例では、組織内のメンバーに対して有効なコミュニケーションまたは有効でないコミュニケーションとしてアドバイスを出力することを説明したが、出力の態様はこれに限定されない。例えば、組織内のメンバーに対して有効なコミュニケーションを「真似すべき他の管理者による対応」として出力するようにしてもよいし、組織のメンバーに対して有効でないコミュニケーションを「真似すべきではない他の管理者による対応」として出力するようにしてもよい。出力手段１２４によって出力される「組織内のメンバーに対して有効なコミュニケーション」は、組織内の管理者−メンバーと同一の特性関係を有する他の管理者−メンバーにおいて、他の管理者が取ったコミュニケーションのうち高い評価を得たものであり、組織内の管理者が真似すべき対応であるといえる。同様に、出力手段１２４によって出力される「組織内のメンバーに対して有効でないコミュニケーション」は、組織内の管理者−メンバーと同一の特性関係を有する他の管理者−メンバーにおいて、他の管理者が取ったコミュニケーションのうち低い評価を得たものであり、組織内の管理者が真似すべきでない対応であるといえる。
【０１１５】
なお、処理４００では、ステップＳ４０１の後にステップＳ４０２、ステップＳ４０３を行うように説明したが、ステップＳ４０１〜ステップＳ４０３の順序はこれに限定されない。例えば、ステップＳ４０２の後にステップＳ４０１を行うようにしてもよい。
【０１１６】
図６は、コンピュータシステム１００において行われる、コミュニケーションについてのアドバイスを提供するための処理の別の一例（処理６００）を示す。処理６００は、組織内のメンバーの特性に加えて、組織内の管理者の特性に基づいてアドバイスを提供する点で、処理４００とは異なっている。コンピュータシステム１００は、処理６００を行うことによって、特定の状況下の組織内のメンバーに対してどのようなコミュニケーションをとるべきかのアドバイスをマネージャ等の組織の管理者に提供することができる。これにより、組織内のメンバーと、組織内の管理者とのコミュニケーションにおける不具合を解消することができ、また、客観的な分析に基づいた適切なコミュニケーションを行うことができるようになる。
【０１１７】
ステップＳ６０１において、プロセッサ部１２０の受信手段１２１が、組織のメンバーの特性を受信する。ステップＳ６０１は、ステップＳ４０１と同様の処理である。
【０１１８】
ステップＳ６０２において、プロセッサ部１２０の決定手段１２２が、組織内のメンバーが複数の状況のうちのある状況下にあることを決定する。ステップＳ６０２は、ステップＳ４０２と同様の処理である。
【０１１９】
ステップＳ６０３において、プロセッサ部１２０の受信手段１２１が、組織の管理者の特性を受信する。受信手段１２１は、インターフェース部１１０を介して入力された組織の管理者の特性を受信してもよいし、受信手段１２１は、インターフェース部１１０を介して入力されたデータに基づいて第２の決定手段が決定した組織の管理者の特性を受信してもよい。
【０１２０】
組織の管理者の特性は、組織のメンバーの特性と同様に、例えば、少なくとも４つの観点を有し得る。４つの観点は、例えば、欲求の特性、脳内伝達物質の特性、拘りの特性、ストレスの感じ方の特性であり得る。組織の管理者の特性は、例えば、少なくとも４つの観点についてインターフェース部１１０を介して入力されるようにしてもよいし、第２の決定手段によって少なくとも４つの観点について決定されるようにしてもよい。第２の決定手段は、例えば、組織のメンバーの特性と同様に、インターフェース部１１０を介して入力されたデータと、少なくとも４つの観点とを関連付ける対応表を用いて、組織の管理者の特性を決定することができる。
【０１２１】
ステップＳ６０４において、プロセッサ部１２０の取得手段１２３が、第１の人物に対してなされたコミュニケーションの第１の人物による評価を取得する。ステップＳ６０４は、ステップＳ４０３と同様の処理である。
【０１２２】
ステップＳ６０５において、プロセッサ部１２０の出力手段１２４は、ステップＳ６０１で受信された組織内のメンバーの特性と、ステップＳ６０２で決定された状況と、ステップＳ６０３で受信された組織内の管理者の特性と、ステップＳ６０４で取得された評価とに基づいて、決定された状況下の組織内のメンバーに対するコミュニケーションについてのアドバイスを出力する。出力手段１２４は、例えば、インターフェース部１１０を介して、コンピュータシステム１００の外部にアドバイスを出力することができる。
【０１２３】
例えば、出力手段１２４は、データベース部２００に格納されているコミュニケーションを参照し、ステップＳ６０２で決定された状況、ステップＳ６０１で受信されたメンバーの特性、およびステップＳ６０３で受信された管理者の特性のすべてに関連付けられたコミュニケーションをデータベース部から取得する。そのとき、そのコミュニケーションに対する評価を参照し、評価が良いコミュニケーションが組織内のメンバーに対して有効なコミュニケーションであるというアドバイス、および、評価が悪いコミュニケーションが組織内のメンバーに対して有効でないコミュニケーションであるとのアドバイスの少なくとも１つを出力することができる。出力手段１２４は、例えば、取得されたコミュニケーションが複数ある場合、それらのコミュニケーションに対する評価を参照し、評価が良い順に降順または昇順で並べ替えて、組織内のメンバーに対して有効なコミュニケーションまたは組織内のメンバーに対して有効でないコミュニケーションとして出力するようにしてもよい。あるいは、出力手段１２４は、例えば、評価が所定の閾値よりも高いまたは低いコミュニケーションのみを組織内のメンバーに対して有効なコミュニケーションまたは組織内のメンバーに対して有効でないコミュニケーションとして出力するようにしてもよい。
【０１２４】
このようにして出力されたアドバイスは、例えば、図２Ｂに示される通知画面４０の第１のアドバイス表示部４２または第２のアドバイス表示部４３に表示され得る。例えば、組織内のメンバーに有効なコミュニケーションは、図２Ｂに示される通知画面４０の第１のアドバイス表示部４２に表示され得、組織内のメンバーに有効でないコミュニケーションは、図２Ｂに示される通知画面４０の第２のアドバイス表示部４３に表示され得る。
【０１２５】
このように、組織内のメンバーが置かれている状況と、組織内のメンバーの特性と、組織内の管理者の特性と、コミュニケーションに対する評価とに基づいて、組織内のメンバーとのコミュニケーションについてのアドバイスを提供することにより、特定の状況下のメンバーに対してどのようなコミュニケーションをとるべきかのアドバイスをより高精度で提供することができる。特に、過去になされたコミュニケーションとその評価とが考慮されるため、自身または他人の過去の成功または失敗を踏まえたコミュニケーションについてのアドバイスが提供されることになる。さらに、第１の人物が組織内のメンバーと同一または類似する特性を有する人物である場合には、組織内のメンバーの特性により適したアドバイスが提供されるようになる。また、第１の人物に対して過去になされたコミュニケーションが、組織内のメンバーが置かれた状況と同一の状況下の第１の人物に対して過去になされたコミュニケーションである場合には、組織内のメンバーの状況により適したアドバイスが提供されるようになる。組織の管理者は、経験則や感覚、主観的な認識等の不確定な変動要素に基づくのではなく、客観的な分析に基づいたアドバイスを受けることができ、組織内のメンバーとの適切なコミュニケーションをすることができるようになる。これにより、組織内の管理者と組織内のメンバーとのコミュニケーションが円滑になり、組織内のメンバーによる協働が促進され、ひいては、効率の改善につながる。また、組織のマネジメントを効果的にすることを促すことも可能である。
【０１２６】
なお、処理６００では、ステップＳ６０１の後にステップＳ６０２、ステップＳ６０３、ステップＳ６０４を行うように説明したが、ステップＳ６０１〜ステップＳ６０４の順序はこれに限定されない。例えば、ステップＳ６０２の後にステップＳ６０１を行うようにしてもよいし、ステップＳ６０３の後にステップＳ６０２、ステップＳ６０１を行うようにしてもよい。
【０１２７】
図４、図６を参照して上述した例では、図４、図６に示される各ステップの処理は、プロセッサ部１２０とメモリ部１３０に格納されたプログラムとによって実現することが説明されたが、本発明はこれに限定されない。図４、図６に示される各ステップの処理のうちの少なくとも１つは、制御回路などのハードウェア構成によって実現されてもよい。
【０１２８】
本発明は、上述した実施形態に限定されるものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【０１２９】
本発明は、コミュニケーションにおける不具合を改善することができる、コミュニケーションについてのアドバイスを提供するコンピュータシステム、プログラム、方法を提供するものとして有用である。
【符号の説明】
【０１３０】
１０  アンケート表
２０−１、２０−２  結果表示画面
３０  報告画面
４０  通知画面
１００  コンピュータシステム
１１０  インターフェース部
１２０  プロセッサ部
１２１  受信手段
１２２  決定手段
１２３  取得手段
１２４  出力手段
１３０  メモリ部
２００  データベース部
【要約】
【課題】コミュニケーションにおける不具合を改善することができる、コミュニケーションについてのアドバイスを提供するコンピュータシステム、プログラム、方法を提供すること。
【解決手段】本発明のコンピュータシステムは、組織内のメンバーの特性を受信する受信手段と、前記メンバーが複数の状況のうちのある状況下にあることを決定する決定手段と、第１の人物に対して過去になされたコミュニケーションの前記第１の人物による評価を取得する取得手段と、前記状況と、前記メンバーの前記特性と、前記評価とに基づいて、前記状況下の前記メンバーに対するコミュニケーションについてのアドバイスを出力する出力手段とを備える。
【選択図】図４【図１Ａ】
0006651175.tif 000002
【図１Ｂ】
0006651175.tif 000003
【図１Ｃ】
0006651175.tif 000004
【図２Ａ】
0006651175.tif 000005
【図２Ｂ】
0006651175.tif 000006
【図３Ａ】
0006651175.tif 000007
【図３Ｂ】
0006651175.tif 000008
【図３Ｃ】
0006651175.tif 000009
【図４】
0006651175.tif 000010
【図５】
0006651175.tif 000011
【図６】
0006651175.tif 000012